(57)【要約】【課題】空気調和機用の排水ポンプの周囲での排出管の曲がり等を低減でき、空気調和機等の内部での省スペース化を図れる排水ポンプを提供する。【解決手段】水平管１１をポンプ室ケース１と一体に形成し、継手管１２をポンプ室ケース１及び水平管１１とは別部品で形成する。継手管１２を水平管１１に連結する。水平管１１と継手管１２とを樹脂成形部品として構成する。継手管１２は水平管１１とは反対側端部に平坦面１２ｄを有する。水平管１１の連結部１１ｃと継手管１２の連結部１２ｃとを超音波溶着により固定する。この超音波溶着のホーンを継手管１２の平坦面１２ｄに押し当てる。【選択図】図１
2016027249.tif 000002
【特許請求の範囲】
【請求項１】
下端部に円筒状の吸込み管部を有するとともに、側面に吐出管部を有する円筒状のポンプ室ケースと、該ポンプ室ケース内に回動可能に配設されたインペラとを備え、前記インペラを前記ポンプ室ケース内で回転させることにより、前記吸込み管部から流体を吸い込んで前記吐出管部から流体を吐出するようにした排水ポンプであって、
前記吐出管部が、前記ポンプ室ケース内に連通する水平管と、該水平管の中心軸線と交差する方向を中心軸線として該水平管に連通する継手管とで構成されていることを特徴とする排水ポンプ。
【請求項２】
前記水平管が前記ポンプ室ケースと一体に形成されるとともに、前記継手管が前記ポンプ室ケース及び水平管とは別部品で形成されて前記水平管に連結されていることを特徴とする請求項１に記載の排水ポンプ。
【請求項３】
前記水平管と前記継手管との連結部分にて、前記水平管と前記継手管とのいずれか一方に切り溝が形成され、他方に該水平管に対する継手管の所定の取り付け位置において該切り溝に嵌合する突起が形成されていることを特徴とする請求項２に記載の排水ポンプ。
【請求項４】
前記水平管と前記継手管とが樹脂成形部品であり、前記継手管は前記水平管とは反対側端部に平坦面を有し、前記水平管の連結部と前記継手管の連結部とが超音波溶着により固定されていることを特徴とする請求項２または３に記載の排水ポンプ。
【請求項５】
前記水平管と前記継手管とからなる前記吐出管部が前記ポンプ室ケースと一体に形成されるとともに、前記水平管が前記ポンプ室ケースとは反対側に開口するように形成され、当該水平管の開口部分が、当該水平管とは別部品で形成された蓋部材を固定することにより閉塞されていることを特徴とする請求項１に記載の排水ポンプ。
【請求項６】
前記水平管と前記蓋部材とが樹脂成形部品であり、前記蓋部材は前記水平管とは反対側端部に平坦面を有し、前記水平管の開口部分と前記蓋部材の連結部とが超音波溶着により固定されていることを特徴とする請求項５に記載の排水ポンプ。
【請求項７】
前記継手管の中心軸線が前記水平管の中心軸線と直交し、該継手管が該水平管の中心軸線から鉛直上方に向けて開口していることを特徴とする請求項１乃至６のいずれか一項に記載の排水ポンプ。
【請求項８】
室内熱交換器、室外熱交換器、絞り装置及び圧縮機を含む冷媒回路を備えた空気調和機であって、
前記室内熱交換器が設けられた室内ユニット内に請求項１乃至７のいずれか一項に記載の排水ポンプを備えたことを特徴とする空気調和機。
【発明の詳細な説明】
【技術分野】
【０００１】
本発明は、例えば空気調和機の室内ユニットのドレンパンに溜まったドレン水（結露水）を排水するための排水ポンプ、この排水ポンプを備えた空気調和機に関する。
【背景技術】
【０００２】
従来、空気調和機用排水ポンプとして、例えば  特開２００２−４８０８４号公報（特許文献１）及び特開２００１−２０７９８７号公報（特許文献２）に開示されたものがある。
【０００３】
特許文献１の排水ポンプは、ポンプ部の上にモータ部が配置され、ポンプ部のポンプ室ケース内にモータ部によって回転するインペラが配設されている。また、ポンプ室ケースは薄型ロート状の形状で、その下端にはドレンパン内に配置される吸込み口が形成されるとともに、ポンプ室ケースの外周には吐出し口が形成されている。そして、インペラの回転により、吸込み口からドレンパンの水を吸引し、吸引した水を吐出し口から外部に排水するものである。また、一般に吐出し口には排出管（ホース）が接続され、排出管により空気調和機から離れた位置に排水するようにしている。
【先行技術文献】
【特許文献】
【０００４】
【特許文献１】特開２００２−４８０８４号公報
【特許文献２】特開２００１−２０７９８７号公報
【発明の概要】
【発明が解決しようとする課題】
【０００５】
空気調和機の室内ユニットにおいて、ドレンパンの水を離れた場所に排水するために、排水ポンプの吐出し口に接続した排出管を排水ポンプよりも上方に引き回しをする必要がある。例えば、特許文献１のように吐出し口をポンプ室ケースから水平に横に設けた場合、吐出し口に接続した排出管は吐出し口から上に曲げていく必要がある。しかし、排出管を一端水平に接続してから曲げるようにするので、この排出管の曲げの部分にスペースを必要とする。
【０００６】
そこで、省スペース化を図るために、特許文献２のものは、下部ケーシング（２）（ポンプ室ケース）の上部を蓋する上部ケーシング（１）（特許文献１の蓋ケース６に相当）に、その側部で鉛直上方に延びる吐出管（２３）を上部ケーシング（１）と一体に設けるようにしている。また、下部ケーシング（２）内に、回転羽根（１２）（インペラ）を収容する第１の空間（Ｓ１）と、この第１の空間（Ｓ１）から膨出した第２の空間（Ｓ２）を形成し、上部ケーシング（１）を下部ケーシング（２）に組み付けることで、吐出管（２３）を第２の空間（Ｓ２）に連通するようにしている。
【０００７】
ここで、特許文献１の排水ポンプに見られるように、インペラを収容するポンプ室ケース内はこのインペラに倣った形状をしており、このポンプ室ケース内と吐出し口とを連通する部分は僅かに細く絞られている。これは、ポンプ室ケース内の吸入圧力あるいは吐出圧力を安定に確保するためである。しかし、特許文献２のものでは、上部ケーシング（１）に吐出管（２３）を設ける構造となっているため、下部ケーシング（２）において、回転羽根（１２）を収容する第１の空間（Ｓ１）の他に第２の空間（Ｓ２）を必要としている。このため、吸入圧力あるいは吐出圧力を安定に確保するためには、改良の余地がある。
【０００８】
また、特許文献２のものでは、吐出管（２３）に排出管を接続する接続部分を確保するために、吐出管（２３）を上部ケーシング（１）の上端面よりさらに突出させる必要があり、省スペースという点で改良の余地がある。
【０００９】
本発明は、上述の如き問題点を解消するためになされたものであり、排水ポンプの周囲での排出管の曲がり等を低減でき、室内ユニットの内部での省スペース化を図れる排水ポンプを提供することを課題とする。
【課題を解決するための手段】
【００１０】
請求項１の排水ポンプは、下端部に円筒状の吸込み管部が形成されるとともに、側面に吐出管部が形成された円筒状のポンプ室ケースと、該ポンプ室ケース内に回動可能に配設されたインペラとを備え、前記インペラを前記ポンプ室ケース内で回転させることにより、前記吸込み管部から流体を吸い込んで前記吐出管部から流体を吐出するようにした排水ポンプであって、前記吐出管部が、前記ポンプ室ケース内に連通する水平管と、該水平管の中心軸線と交差する方向を中心軸線として該水平管に連通する継手管とで構成されていることを特徴とする。
【００１１】
請求項２の排水ポンプは、請求項１に記載の排水ポンプであって、前記水平管が前記ポンプ室ケースと一体に形成されるとともに、前記継手管が前記ポンプ室ケース及び水平管とは別部品で形成されて前記水平管に連結されていることを特徴とする。
【００１２】
請求項３の排水ポンプは、請求項２に記載の排水ポンプであって、前記水平管と前記継手管との連結部分にて、前記水平管と前記継手管とのいずれか一方に切り溝が形成され、他方に該水平管に対する継手管の所定の取り付け位置において該切り溝に嵌合する突起が形成されていることを特徴とする。
【００１３】
請求項４の排水ポンプは、請求項２または３に記載の排水ポンプであって、前記水平管と前記継手管とが樹脂成形部品であり、前記継手管は前記水平管とは反対側端部に平坦面を有し、前記水平管の連結部と前記継手管の連結部とが超音波溶着により固定されていることを特徴とする。
【００１４】
請求項５の排水ポンプは、請求項１に記載の排水ポンプであって、前記水平管と前記継手管とからなる前記吐出管部が前記ポンプ室ケースと一体に形成されるとともに、前記水平管が前記ポンプ室ケースとは反対側に開口するように形成され、当該水平管の開口部分が、当該水平管とは別部品で形成された蓋部材を固定することにより閉塞されていることを特徴とする。
【００１５】
請求項６の排水ポンプは、請求項５に記載の排水ポンプであって、前記水平管と前記蓋部材とが樹脂成形部品であり、前記蓋部材は前記水平管とは反対側端部に平坦面を有し、前記水平管の開口部分と前記蓋部材の連結部とが超音波溶着により固定されていることを特徴とする。
【００１６】
請求項７の排水ポンプは、請求項１乃至６のいずれか一項に記載の排水ポンプであって、前記継手管の中心軸線が前記水平管の中心軸線と直交し、該継手管が該水平管の中心軸線から鉛直上方に向けて開口していることを特徴とする。
【００１７】
請求項８の空気調和機は、室内熱交換器、室外熱交換器、絞り装置及び圧縮機を含む冷凍サイクルを備えた空気調和機であって、前記室内熱交換器が設けられた室内ユニット内に請求項１乃至７のいずれか一項に記載の排水ポンプを備えたことを特徴とする。
【発明の効果】
【００１８】
請求項１の排水ポンプによれば、排出管（ホース等）を接続する継手管が水平方向に向いた水平管から異なる方向に向けられているので、当該排水ポンプの周囲での排出管の曲がり等を低減でき、室内熱交換器が設けられた室内ユニットの内部での省スペース化を図れる。
【００１９】
請求項２の排水ポンプによれば、請求項１の効果に加えて、水平管が前記ポンプ室ケースと一体に形成されるとともに、継手管がポンプ室ケース及び水平管とは別部品で形成されているので、ポンプ室ケース及び水平管の成形、及び、継手管の成形が容易になる。
【００２０】
請求項３の排水ポンプによれば、請求項２の効果に加えて、水平管と継手管とを組み付けるとき、水平管の中心軸線周りの位置決めを容易に行うことができる。
【００２１】
請求項４の排水ポンプによれば、請求項２または３の効果に加えて、水平管と継手管との超音波溶着時に継手管の平坦面をホーンで押すことが容易になり、水平管と継手管との連結部を確実に超音波溶着できる。
【００２２】
請求項５の排水ポンプによれば、請求項１の効果に加えて、水平管がポンプ室ケースとは反対側に開口するように、吐出管部とポンプ室ケースとを一体に形成し、水平管の開口部分を別部品の蓋部材を固定する構造となっているので、製造が容易になる。
【００２３】
請求項６の排水ポンプによれば、請求項５の効果に加えて、水平管と蓋部材との超音波溶着時に蓋部材の平坦面をホーンで押すことが容易になり、水平管と蓋部材との連結部を確実に超音波溶着できる。
【００２４】
請求項７の排水ポンプによれば、請求項１乃至６の効果に加えて、継手管が鉛直上方に向けて開口しているので、継手管に接続する排出管（ホース等）をそのまま上方に向けることができるので、例えば室内天井に設ける室内ユニットの排出管の引き回しが容易になりさらに省スペース化を図れる。
【００２５】
請求項８の空気調和機によれば、請求項１乃至７のいずれか一項と同様な効果が得られるとともに、室内ユニットの内部での省スペース化を図れることから、室内ユニットを小型化することができる。
【図面の簡単な説明】
【００２６】
【図１】本発明の第１実施形態の排水ポンプの一部破断正面図である。
【図２】本発明の第１実施形態の排水ポンプの外観正面図である。
【図３】本発明の第１実施形態の排水ポンプの継手管の斜視図である。
【図４】本発明の第１実施形態の排水ポンプのポンプ室ケースと継手管の分解斜視図である。
【図５】本発明の第１実施形態の排水ポンプの第１変形例を示すポンプ室ケースと継手管の分解斜視図である。
【図６】本発明の第１実施形態の排水ポンプの第２変形例を示すポンプ室ケースと継手管の分解斜視図である。
【図７】本発明の第２実施形態の排水ポンプの一部破断正面図である。
【図８】本発明の第２実施形態の排水ポンプの外観正面図である。
【図９】本発明の第２実施形態の排水ポンプのポンプ室ケース及び吐出管部の斜視図である。
【図１０】本発明の一実施形態に係る空気調和機の概略構成を示す図である。
【発明を実施するための形態】
【００２７】
次に、本発明の排水ポンプ及び空気調和機の実施形態を図面を参照して説明する。
【００２８】
（排水ポンプの実施形態）
図１は第１実施形態の排水ポンプ１００の一部破断正面図、図２は第１実施形態の排水ポンプ１００の外観正面図、図３は第１実施形態の排水ポンプ１００の継手管の斜視図、図４は第１実施形態の排水ポンプ１００のポンプ室ケースと継手管の分解斜視図である。なお、以下の説明における「上下」の概念は図１及び図２の図面における上下に対応する。
【００２９】
この実施形態の排水ポンプ１００は、ポンプ部１０とモータ部２０とを備えている。モータ部２０は、軸受アッセンブリ２０ａ，２０ｂ、ステータ回路部２０ｃ及びロータ２０ｄを備えている。ロータ２０ｄの駆動軸２０ｅは軸受アッセンブリ２０ａ，２０ｂにより軸支持されている。ステータ回路部２０ｃは、コイル部等を有しており、このステータ回路部２０ｃとロータ２０ｄは三相のＤＣブラシレスモータを構成している。
【００３０】
ポンプ部１０は、樹脂製で薄型円筒状のポンプ室ケース１と樹脂製で円筒形状の蓋ケース５とを有している。ポンプ室ケース１は、例えば図１０に示す後述のドレンパン７１内に配置される吸込み管部（吸込み口）１ａと、例えば後述の排出管７３が接続される吐出管部（吐出し口）２とを有している。なお、ポンプ室ケース１の外周の２箇所には嵌合部１ｂ（図２及び図４参照）が形成され、この嵌合部１ｂを蓋ケース５の下端部にスナップフィットすることによりポンプ室ケース１と蓋ケース５が取り付け固定されている。
【００３１】
ポンプ室ケース１内には、インペラ４が配設されている。インペラ４は、軸嵌合部４１を有するとともに、この軸嵌合部４１の下方に中心軸Ｌの方向に沿って延びる複数（例えば４枚）の板状の小羽根４２を有しており、この小羽根４２は、吸込み管部１ａ内に配置されている。そして、軸嵌合部４１がモータ部２０の駆動軸２０ｅに固定されている。また、軸嵌合部４１と小羽根４２との間には、略逆円錐状に形成された中空円錐板４３を有しており、モータ部２０によりインペラ４が回転し、吸込み管部１ａ内で小羽根４２が回転することにより、ドレンパンの水が吸込み管部１ａ内に上昇し、その水が遠心力により中空円錐板４３側に移動する。そして、この中空円錐板４３と中空円錐板４３上に設けた大羽根４４とによりポンプ室ケース１内の水が回転し、その遠心力により水が吐出管部２から吐出される。
【００３２】
蓋ケース５の中央には、駆動軸２０ｅ及びポンプ部１０の中心軸Ｌの周りに水切り部５１が形成されており、この水切り部５１を駆動軸２０ｅが貫通している。また、水切り部５１の外側には、モータ部２０側に延設された円筒状の縦壁５２と円筒状の外壁５３が形成されている。この外壁５３の外周には２箇所に取付ボス部５３ａが形成されている。そして、縦壁５２と外壁５３はモータ部２０を支持している。また、モータ部２０の外装ケースの取付ボス部２０ｆと蓋ケース５の取付ボス部５３ａとを突き合せて、タッピングネジＮによりモータ部２０と蓋ケース５とがネジ止めされている。
【００３３】
なお、縦壁５２と外壁５３はその間に空隙を形成し、縦壁５２と外壁５３の間の空隙から図示しないスリットを通って外部に通じる通路はラビリンス構造となっている。これにより、主に吸込み管部１ａ内で発生する水掻き音が、外部に漏れるのを低減している。
【００３４】
吐出管部２は、ポンプ室ケース１内に連通して中心線軸Ｌ１を水平方向とした水平管１１と、中心線軸Ｌ２を鉛直方向とした継手管１２とで構成されている。すなわち、継手管１２の中心線軸Ｌ２は水平管１１の中心軸線Ｌ１と交差（この場合は９０°で交差）する方向である。継手管１２には例えば後述の排出管７３（ホース等）が接続される。
【００３５】
ポンプ室ケース１内の空間Ｓ１は、インペラ４の中空円錐板４３の形状に倣った略円錐状の空間となっている。ポンプ室ケース１と水平管１１とは樹脂成形部品として一体に形成されており、水平管１１はポンプ室ケース１内の空間Ｓ１に連通する径の小さな小径通路１１ａと、この小径通路１１ａに連通して小径通路１１ａより径を次第に大きくした大径通路１１ｂとを有している。この小径通路１１ａと大径通路１１ｂは中心線軸Ｌ１を回転中心とする形状であり、大径通路１１ｂは円筒形状の円環部１１１に形成されている。そして、この円環部１１１の端部となる大径通路１１ｂの開口部の周囲は、円環状の連結部１１ｃとなっている。
【００３６】
継手管１２は樹脂成形部品としてポンプ室ケース１及び水平管１１とは別部品で形成されている。この継手管１２は水平管１１の大径通路１１ｂに連通する水平通路１２ａと、この水平通路１２ａに連通して上方に開口する垂直通路１２ｂとを有している。水平通路１２ａは水平管１１の中心線軸Ｌ１を回転中心とする形状であり、この水平通路１２ａの開口部の周囲は円環状の連結部１２ｃとなっている。なお、垂直通路１２ｂは中心線軸Ｌ２を回転中心とする形状である。また、継手管１２は、水平管１１の連結部１１ｃの外周に嵌合する嵌合孔１２１を有している。さらに、継手管１２は、水平管１１とは反対側端部に平坦面１２ｄを有している。
【００３７】
以上の構成により、継手管１２の嵌合孔１２１を水平管１１の連結部１１ｃの外周に嵌合するようにして、継手管１２が水平管１１に取り付けられている。さらに、継手管１２の平坦面１２ｄを超音波溶着時のホーンで押すことにより、水平管１１の連結部１１ｃと継手管１２の連結部１２ｃとが超音波溶着されている。
【００３８】
図５は第１実施形態の排水ポンプ１００の第１変形例を示すポンプ室ケースと継手管の分解斜視図である。この第１変形例は、水平管１１の円環部１１１の外周の上部一カ所に突起１１２を形成し、継手管１２の嵌合孔１２１の周囲の上部一カ所に「切り溝」としてのスリット１２２を形成したものである。そして、この突起１１２をスリット１２２に挿入することで、水平管１１と継手管１２とを組み付けるとき、中心軸線Ｌ１周りの位置決めを容易に行うことができる。なお、突起１１２とスリット１２２は上部ではなくても互いに対応する位置であればよい。なお、この突起１１２と同様な突起を継手管１２側に形成し、スリット１２２と同様なスリットを水平管１１側に形成してもよい。
【００３９】
図６は第１実施形態の排水ポンプ１００の第２変形例を示すポンプ室ケースの一部と継手管の断面図である。なお、図１と同じ要素には同符号を付記して重複する説明は省略する。この第２変形例は、継手管１２の水平通路１２ａと垂直通路１２ｂとを中心軸線Ｌ１とＬ２を円弧で繋ぐ円弧通路１２ｅを設けたものである。この円弧通路１２ｅにより水平通路１２ａから垂直通路１２ｂへの水の流れがより円滑になる。この第２変形例の場合は、継手管１２には円弧通路１２ｅの外壁１２ｆが曲面になっているが、超音波溶着時には、この外壁１２ｆに合うようなホーンを用いればよい。なお、このような円弧通路を設けた場合でも、第１実施形態のように前記平坦面１２ｄを有する形状にしてもよい。また、この第２変形例において前記第１変形例と同様な突起とスリット（切り溝）を水平管と継手管とに形成するようにしてもよい。
【００４０】
図７は第２実施形態の排水ポンプ１００の一部破断正面図、図８は第２実施形態の排水ポンプ１００の外観正面図、図９は第２実施形態の排水ポンプ１００のポンプ室ケース及び吐出管部の斜視図である。
【００４１】
この第２実施形態で第１実施形態と異なるところは吐出管部の構成である。その他の構成は第１実施形態と同じであり、図７乃至図９において第１実施形態と同じ要素には図１乃至図５と同符号を付記して重複する説明は省略する。
【００４２】
この実施形態における吐出管部３は、ポンプ室ケース１内に連通して中心線軸Ｌ１を水平方向とした水平管３１と、中心線軸Ｌ２を鉛直方向とした継手管３２とで構成されている。この継手管３２の中心線軸Ｌ２は水平管３１の中心軸線Ｌ１と交差（この場合は９０°で交差）する方向であり、この点は、第１実施形態と同様である。継手管３２には例えば後述の排出管７３（ホース等）が接続される。
【００４３】
この実施形態では、水平管３１と継手管３２とからなる吐出管部３と、ポンプ室ケース１とが、樹脂成形部品として一体に形成されている。水平管３１はポンプ室ケース１内の空間Ｓ１に連通する径の小さな小径通路３１ａと、この小径通路３１ａに連通して小径通路３１ａより径の大きな大径通路３１ｂとを有している。この小径通路３１ａと大径通路３１ｂは中心線軸Ｌ１を回転中心とする形状であり、大径通路３１ｂは、ポンプ室ケース１とは反対側に開口するように形成されている。継手管３２は水平管３１の大径通路３１ｂに連通して上方に開口する垂直通路３２ａを有しており、垂直通路３２ａは中心線軸Ｌ２を回転中心とする形状である。
【００４４】
水平管３１の大径通路３１ｂの開口部分は蓋部材３３で閉塞されている。蓋部材３３は、吐出管部３とは別部品の樹脂成形部品であり、この蓋部材３３は、ボス部３３ａとフランジ部３３ｂとを有し、ボス部３３ａの端部外周は連結部３３ｃとなっている。また、フランジ部３３ｂの水平管３１とは反対側端部に平坦面３３ｄを有している。また、水平管３１の大径通路３１ｂの開口部分の内側は蓋部材３３のボス部３３ａの外周に嵌合する嵌合孔３１１となっており、この嵌合孔３１１と大径通路３１ｂとの間はテーパ面からなる連結部３１ｃとなっている。
【００４５】
以上の構成により、水平管３１の嵌合孔３１１内に蓋部材３３のボス部３３ａを嵌合し、蓋部材３３の平坦面３３ｄを超音波溶着時のホーンで押すことにより、この水平管３１の連結部３１ｃと蓋部材３３の連結部３３ｃとが超音波溶着されている。
【００４６】
以上の第１実施形態では水平管１１と継手管１２を超音波溶着し、第２実施形態では水平管３１と蓋部材３３とを超音波溶着するようにしているが、これらは接着剤で固着してもよい。
【００４７】
第１実施形態では水平管１１に対して継手管１２を固定するようにしているが、水平管１１と継手管１２とをスナップフィットやネジにより取り付け、水平管１１に対して継手管１２を中心軸線Ｌ１周りに回転可能としてもよい。この場合、継手管１２に接続される排出管（ホース等）の向きを任意に設定できる。また、第２実施形態において、継手管３２の中心軸線Ｌ２が鉛直方向である例について説明したが、この中心軸線Ｌ２が鉛直方向から任意の方向に傾斜した構造でもよい。
【００４８】
また、各実施形態では、水平管の中心軸線Ｌ１と継手管の中心軸線Ｌ２とが９０°で交差する例について説明したが、中心軸線Ｌ１と中心軸線Ｌ２が９０°以外の角度で交差する構造でもよい。この場合、中心軸線Ｌ１と中心軸線Ｌ２を含む面内で、実施形態に図示した中心軸線Ｌ２に対して角度θだけあおった角度の中心軸線Ｌ２となる構造でもよい。この場合、角度θは４５°以下が適している。
【００４９】
以上のように、排出管（ホース等）を接続する継手管１２，３２が水平方向に向いた水平管１１，３１から異なる方向に向けられているので、排水ポンプ１００の周囲での排出管の曲がり等を低減でき、室内熱交換器が設けられた室内ユニットの内部での省スペース化を図れる。
【００５０】
また、ポンプ室ケース１内の空間Ｓ１はインペラ４に倣った形状をしており、さらに、空間Ｓ１と吐出管部２，３とを連通する部分（小径通路１１ａ，小径通路３１ａ）は僅かに細く絞られているので、ポンプ室ケース１内の吸入圧力あるいは吐出圧力を安定に確保することができる。
【００５１】
（空気調和機の実施形態）
以下に、本発明の一実施形態に係る空気調和機について、図１０を参照して説明する。図１０は本発明の一実施形態に係る空気調和機２００の概略構成を示す図である。この空気調和機２００は、例えば、家屋や商業施設などに設けられるエアコン等として用いられる。
【００５２】
この空気調和機２００は、室内熱交換器６１と、室外熱交換器６２と、絞り装置６３と、圧縮機６４と、流路切換弁６５とを含む冷凍サイクル６０を備えている。室内熱交換器６１は室内ユニット７０内に設けられ、室外熱交換器６２と、絞り装置６３と、圧縮機６４と、流路切換弁６５は、室外ユニット８０内に設けられている。
【００５３】
空気調和機２００の冷凍サイクル６０の流路は流路切換弁６５により「冷房モード」および「暖房モード」の２通りの流路に切換えられる。冷房モードでは、図１０に実線の矢印で示すように、圧縮機６４で圧縮された冷媒は流路切換弁６５から室外熱交換器６２に流入され、絞り装置６３に流入される。そして、この絞り装置６３で冷媒が膨張され、室内熱交換器６１に流入される。この室内熱交換器６１に流入された冷媒は、流路切換弁６５を介して圧縮機６４に流入される。一方、暖房モードでは、図１０に破線の矢印で示すように、圧縮機６４で圧縮された冷媒は流路切換弁６５から室内熱交換器６１に流入され、絞り装置６３に流入される。そして、この絞り装置６３で冷媒が膨張され、室外熱交換器６２、流路切換弁６５、圧縮機６４の順に循環される。
【００５４】
冷房モードでは、室外熱交換器６２が凝縮器として機能し、室内熱交換器６１が蒸発器として機能し、室内の冷房がなされる。また、暖房モードでは、室外熱交換器６２が蒸発器として機能し、室内熱交換器６１が凝縮器として機能し、室内の暖房がなされる。
【００５５】
室内ユニット７０は、室内熱交換器６１の下方にドレンパン７１を備えるとともに、前記第１実施形態、第１変形例、第２変形例、あるいは、第２実施形態の排水ポンプ１００と、この排水ポンプ１００を制御する制御装置７２を備えている。排水ポンプ１００の吸込み管部１ａはドレンパン７１内に配置され、前記インペラ４の回転により、吸込み管部１ａからドレンパン７１に溜まったドレン水を吸引し、吸引したドレン水を吐出管部２（または３）から吐出する。この吐出管部２（または３）には排出管７３（ホース）が接続されており、吐出管部２（または３）から吐出されるドレン水は排出管７３により室内ユニット７０（空気調和機）から離れた位置に排水される。
【００５６】
排水管７３は吐出管部２（または３）を介してそのまま上方（鉛直方向）に向けることができるので、室内ユニット７０内での排出管７３の引き回しが容易になり省スペース化を図ることができる。これにより、例えば排水ポンプ１００をドレンパン７１の側壁に近く配置できるので、ドレンパン７１のサイズも小さくでき、室内ユニット７０を小型化することができる。
【００５７】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【符号の説明】
【００５８】
１      ポンプ室ケース
１ａ    吸込み管部
２      吐出管部
１１    水平管
１１ｃ  連結部
１１２  突起
１２    継手管
１２ｃ  連結部
１２ｄ  平坦面
１２２  スリット（切り溝）
３      吐出管部
３１    水平管
３１ｃ  連結部
３２    継手管
３３    蓋部材
３３ｃ  連結部
３３ｄ  平坦面
４      インペラ
６０    冷凍サイクル
６１    室内熱交換器
６２    室外熱交換器
６３    絞り装置
６４    圧縮機
６５    流路切換弁
７０    室内ユニット
８０    室外ユニット
１００  排水ポンプ
２００  空気調和機
Ｌ１    中心線軸
Ｌ２    中心線軸
【図１】
2016027249.tif 000003
【図２】
2016027249.tif 000004
【図３】
2016027249.tif 000005
【図４】
2016027249.tif 000006
【図５】
2016027249.tif 000007
【図６】
2016027249.tif 000008
【図７】
2016027249.tif 000009
【図８】
2016027249.tif 000010
【図９】
2016027249.tif 000011
【図１０】
2016027249.tif 000012